(57)【要約】【課題】ダンパ制御の送風機の使用電力と、インバータ制御の送風機の使用電力とを対比可能とすることである。【解決手段】第１電動機１２で駆動されてダンパ１３により風量が調整される第１送風機１１と、第２電動機１９で駆動されて第２電動機１９の回転数を調整して風量が調整される第２送風機１８とを有し、インバータ制御部２１は、インバータ２０を介して、第２送風機１８の風量が第１送風機１１の風量と同じになるように、第２送風機１８の第２電動機１９の回転数を制御し、その状態で、第１電力計２４で第１電動機１２の使用電力を計測し、第２電力計２５で第２電動機１９の使用電力を計測して、両者の使用電力の対比を可能とする。【選択図】図１
2014166048.tif 000002
【特許請求の範囲】
【請求項１】
ダンパにより風量が調整され第１電動機で駆動される第１送風機と、
回転数を制御して風量が調整され第２電動機で駆動される第２送風機と、
前記第２送風機の風量が前記第１送風機の風量と同じになるように前記第２送風機の第２電動機の回転数を制御するインバータ制御部と、
前記第１送風機の第１電動機の使用電力を計測する第１電力計と、
前記第２送風機の第２電動機の使用電力を計測する第２電力計とを備えたことを特徴とする使用電力対比装置。
【請求項２】
第１電動機で駆動される第１送風機の風量をダンパにより調整して運転し、
第２電動機で駆動される第２送風機の風量が前記第１送風機の風量と同じになるように前記第２電動機の回転数を制御し、
前記第１送風機の第１電動機の使用電力及び前記第２送風機の第２電動機の使用電力を計測し、
前記第１送風機及び前記第２送風機の風量を変数とした両者の使用電力を対比することを特徴とする使用電力対比方法。
【発明の詳細な説明】
【技術分野】
【０００１】
本発明は、ダンパにより風量を調整する送風機の使用電力と、インバータの回転数制御により風量を調整する送風機の使用電力とを対比できる使用電力対比装置及び方法に関する。
【背景技術】
【０００２】
一般に、送風機は、ファンを電動機で回転させて吸気口から空気を吸い込んで風を発生させるものであり、ダンパにより風量を調整するものと、インバータの回転数制御により風量を調整するもの（例えば、特許文献１参照）とがある。
【０００３】
ダンパにより風量を調整する送風機（ダンパ制御の送風機）は、送風機のダクトにダンパを取り付け、ダンパの開度を調整して吸気口から吸い込む空気量を制御し風量を調整する。一方、インバータの回転数制御により風量を調整する送風機（インバータ制御の送風機）は、ファンを駆動する電動機の回転数をインバータで制御し、吸気口から吸い込む空気量を制御し風量を調整する。
【先行技術文献】
【特許文献】
【０００４】
【特許文献１】特開平８−１２１８２９
【発明の概要】
【発明が解決しようとする課題】
【０００５】
しかし、従来の送風機は風量を調整することに主眼がおかれており、送風機の使用電力を考慮したものではない。特許文献１のものでは、ファンの消費電力を低減できるようにしているが、ダンパ制御の送風機の使用電力と、インバータ制御の送風機の使用電力とを比較し、使用電力の低減を図るようにしたものではない。
【０００６】
すなわち、稼働状態にある調理機器の設計排気量の総和が最小換気量未満のときは全てのモータダンパを開き、最小換気量となるようにファン駆動用のインバータの出力周波数を制御して最小換気量を確保し、換気量が最小換気量のときにおけるファンの消費電力を低減できるようにしたものである。
【０００７】
ダンパ制御の送風機の使用電力と、インバータ制御の送風機の使用電力との比較が容易にできれば、送風機の消費電力をより低減できる。
【０００８】
本発明の目的は、ダンパ制御の送風機の使用電力と、インバータ制御の送風機の使用電力とを対比できる使用電力対比装置及び方法を提供することである。
【課題を解決するための手段】
【０００９】
請求項１の発明に係る使用電力対比装置は、ダンパにより風量が調整され第１電動機で駆動される第１送風機と、回転数を調整して風量が調整され第２電動機で駆動される第２送風機と、前記第２送風機の風量が前記第１送風機の風量と同じになるように前記第２送風機の第２電動機の回転数を制御するインバータ制御部と、前記第１送風機の第１電動機の使用電力を計測する第１電力計と、前記第２送風機の第２電動機の使用電力を計測する第２電力計とを備えたことを特徴とする。
【００１０】
請求項２の発明に係る使用電力対比方法は、第１電動機で駆動される第１送風機の風量をダンパにより調整して運転し、第２電動機で駆動される第２送風機の風量が前記第１送風機の風量と同じになるように前記第２電動機の回転数を制御し、前記第１送風機の第１電動機の使用電力及び前記第２送風機の第２電動機の使用電力を計測し、前記第１送風機及び前記第２送風機の風量を変数とした両者の使用電力を対比することを特徴とする。
【発明の効果】
【００１１】
本発明によれば、第１送風機の風量と第２送風機の風量とが同じであるとき、第１送風機の第１電動機の使用電力を読み取り、第２送風機の第２電動機の使用電力を読み取ることができるので、第１送風機の使用電力と第２送風機の使用電力とを対比できる。
【図面の簡単な説明】
【００１２】
【図１】本発明の実施形態に係る使用電力対比装置の構成図。
【図２】本発明の実施形態に係る使用電力対比方法を示すフローチャート。
【発明を実施するための形態】
【００１３】
以下、本発明の実施形態を説明する。図１は本発明の実施形態に係る使用電力対比装置の構成図である。
【００１４】
第１送風機１１は、第１電動機１２で駆動されダンパ１３により風量が調整される。ダンパ１３は第１送風機１１の吸気口の開度を風量調節用の開閉蓋１４を調節して第１送風機１１の風量を調整する。第１送風機１１の風量は、第１風速計１５で第１送風機１１の風速を計測することによって計測する。第1電動機１２は電源１６から第１スイッチ１７を介して電力が供給されて駆動される。
【００１５】
一方、第２送風機１８は、第２電動機１９で駆動されインバータ２０で第２電動機１９の回転数を制御して風量が調整される。インバータ２０はインバータ制御装置２１により制御される。第２送風機１８の風量は、第２風速計２２で第２送風機１８の風速を計測することによって計測する。第２電動機１９には、電源１６から第２スイッチ２３及びインバータ２０を介して電力が供給される。
【００１６】
インバータ制御装置２１は、第１風速計１５で計測された第１送風機１１の風速（風量）、及び第２風速計２２で計測された第２送風機１８の風速（風量）を入力し、第２送風機１８の風量が第１送風機１１の風量と同じになるように、第２送風機１８の第２電動機１９の回転数を制御する。また、第１電動機１２の使用電力は第１電力計２４で計測され、第２電動機１９の使用電力は第２電力計２５で計測される。
【００１７】
第１送風機１１の風量と第２送風機１８の風量とが同じになったとき、すなわち、第１風速計１５で計測された風速と、第２風速計２２で計測された風速とが同じとなったとき、第１電力計２４で計測された第１送風機１１の第１電動機１２の使用電力、及び第２電力計２５で計測された第２送風機１８の第２電動機１９の使用電力を読み取る。これにより、風量が同じときの第１送風機の使用電力と第２送風機の使用電力とを対比できる。
【００１８】
図２は本発明の実施形態に係る使用電力対比方法を示すフローチャートである。図１に示した使用電力対比装置を使用した場合について説明する。まず、第１送風機の風量をダンパにより調整して運転する（Ｓ１）。すなわち、第１スイッチ１７をオンして第１電動機１２を駆動し、その状態で開閉蓋１４を調整してダンパ１３により第１送風機１１の風量を調整する。例えば、第１送風機１１の吸気口の開度を０％〜１００％の間で変化させる。
【００１９】
次に、第２送風機１８の風量が第１送風機１１の風量と同じになるように調整する（Ｓ２）。第２スイッチ２３をオンし、インバータ２０を介して第２電動機１９に電力を供給できる状態にする。そして、インバータ制御装置２１は、第１風速計１５で計測された第１送風機１１の風速（風量）、及び第２風速計２２で計測された第２送風機１８の風速（風量）を入力し、第２送風機１８の風量が第１送風機１１の風量と同じになるように、第２電動機１９の回転数を制御する。
【００２０】
そして、第１送風機１１の使用電力を計測し（Ｓ３）、第２送風機１８の使用電力を計測する（Ｓ４）。これは、第１電力計２４や第２電力計２５を読み取ることにより行う。
【００２１】
次に、所定回数の風量の調整を完了したか否かを判定し（Ｓ５）、所定回数の風量の調整を完了していないときは、ステップＳ１に戻り、異なる風量の調整をして、ステップＳ２以降の操作を行う。例えば、吸気口の開度を、１００％、８０％、６０％、４０％、２０％と、５回調整して風量を調整する場合は、所定回数は５回となり、１００％の次は、８０％に調整する。そして、所定回数の風量調整が完了したときは処理を終了する。
【００２２】
これにより、第１送風機１１（第２送風機１８）の風量を変数とした両者の使用電力を得ることができ、ダンパ制御の送風機の使用電力と、インバータ制御の送風機の使用電力との両者を容易に対比できる。
【００２３】
第１送風機１１（第２送風機１８）の風速（風量）を変数とした第１電動機１２及び第２電動機１９の電気料金とその差額の一例を表１に示す。表１では、吸気口の開度を、１００％、８０％、６０％、４０％、２０％と変化させた場合を示している。
【表１】
2014166048.tif 000003
【００２４】
表１に示すように、吸気口の開度を１００％、８０％、６０％、４０％、２０％としたとき、インバータ２０により第２送風機１８の風量は第１送風機１１の風量と同じとなるように制御されるので、第１風速計１１及び第２風速計２２の風速は同じとなる。すなわち、吸気口の開度が１００％、８０％、６０％、４０％、２０％のとき、第１風速計１１及び第２風速計２２の風速は、１００％、９３％、７５％、５７％、３９％となった。
【００２５】
また、このとき、ダンパ制御の送風機の第１電動機１２及びインバータ制御の送風機の第２電動機１９の使用電力を電気料金に変換すると、第１電動機１２の電気料金は、１００％、９７％、９２％、８７％、５５％となり、第２電動機１９の電気料金は、１００％、５７％、３６％、１７％、１１％となった。
【００２６】
ダンパ制御の送風機の電気料金とインバータ制御の送風機の電気料金との差額は、風量１００％、９３％、７５％、５７％、３９％について、０％、４０％、５６％、７０％、４４％となり、インバータ制御の送風機の方が低減されることが分かった。
【００２７】
このように、本発明の実施形態によれば、インバータ制御の第２送風機１８の風量がダンパ制御の第１送風機１１の風量と同じになるように調整し、ダンパ制御の第１送風機の風量とインバータ制御の第２送風機の風量とが同じになったとき、ダンパ制御の第１送風機の第１電動機の使用電力を読み取り、インバータ制御の第２送風機の第２電動機の使用電力を読み取ることができるので、ダンパ制御の第１送風機の使用電力とインバータ制御の第２送風機の使用電力とを対比できる。
【００２８】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００２９】
１１…第１送風機、１２…第１電動機、１３…ダンパ、１４…開閉蓋、１５…第１風速計、１６…電源、１７…第１スイッチ、１８…第２送風機、１９…第２電動機、２０…インバータ、２１…インバータ制御装置、２２…第２風速計、２３…第２スイッチ、２４…第１電力計、２５…第２電力計
【図１】
2014166048.tif 000004
【図２】
2014166048.tif 000005